【手続補正書】
【提出日】平成15年11月27日(2003.11.27)
【手続補正１】
【補正対象書類名】明細書
【補正対象項目名】特許請求の範囲
【補正方法】変更
【補正の内容】
【特許請求の範囲】
【請求項１】
撮像光学系を介して結像された被写体像を光電変換して撮像信号を出力する撮像手段と、
前記撮像信号に所定の処理を施して映像信号を生成する信号処理手段と、
前記撮像信号中の色に関する情報から前記被写体の色を識別する色識別手段と、
前記信号処理手段は、前記撮像信号に応じて第１の映像信号を生成する第１の映像信号生成手段と、
前記撮像信号に応じて第２の映像信号を生成する第２の映像信号生成手段とを有し、
前記色識別手段の識別結果によって前記第１の映像信号生成手段と前記第２の映像信号生成手段のいずれを用いて出力するかを自動的に選択する選択手段と、
を備えたことを特徴とする撮像装置。
【請求項２】
前記第１の映像信号生成手段は、前記撮像信号の輝度レベルに応じて前記映像信号の輝度成分を生成する第１の輝度成分生成手段と、
前記撮像信号の色成分に応じて前記映像信号の色成分を生成する第１の色成分生成手段を有し、
前記第２の映像信号生成手段は、前記撮像信号の輝度レベルに応じて明部と暗部を各々反転した前記映像信号の輝度成分を生成する第２の輝度成分生成手段と、
前記撮像信号の色成分に応じて、予め定められた変換方式によって前記映像信号の色成分を生成する第２の色成分生成手段と、
を有することを特徴とする請求項１の撮像装置。
【請求項３】
さらに、前記選択手段の動作を禁止する制御手段とを備え、
前記制御手段によって、前記選択手段の動作が禁止されているとき、前記選択手段によらずに、前記第１、第２の輝度成分生成手段、及び色成分生成手段のいずれかを用いて映像信号を生成することを特徴とする請求項２の撮像装置。
【請求項４】
前記第１の輝度成分生成手段と、前記第１の色成分生成手段から色差信号を生成するとともに、それらの利得を制御して、ホワイトバランス調整を行うホワイトバランス調整手段を備えていることを特徴とする請求項２の撮像装置。
【請求項５】
前記第２の輝度成分生成手段及び前記第２の色成分生成手段は、ネガポジを反転した映像信号を出力するように構成したことを特徴とする請求項２の撮像装置。
【請求項６】
撮像光学系と、
前記撮像光学系の前面所定位置にフィルムを保持するフィルム撮影アダプタと、を備えたことを特徴とする請求項１乃至５の撮像装置。
【請求項７】
前記色識別手段は、前記撮像信号より生成された色差信号からネガフィルムを判別するように構成されていることを特徴とする請求項１乃至６の撮像装置。
【請求項８】
前記色識別手段は、前記撮像信号より生成されたＲ，Ｇ，Ｂ信号からネガフィルムを判別するように構成されていることを特徴とする請求項１乃至６の撮像装置。
【請求項９】
前記色識別手段は、前記第１の輝度信号生成手段及び前記第１の色信号生成手段の出力から、ネガフィルムを判別するように構成されていることを特徴とする請求項２乃至７の撮像装置。
【請求項１０】
前記色識別手段は、前記第２の輝度信号生成手段前記第２の色信号生成手段の出力から、ネガフィルムを判別するように構成されていることを特徴とする請求項２乃至７の撮像装置。
【請求項１１】
撮像光学系を介して結像された被写体像を光電変換して撮像信号を出力する撮像工程と、
前記撮像信号に所定の処理を施して映像信号を生成する信号処理工程と、
前記撮像信号中の色に関する情報から前記被写体の色を識別する色識別工程と
前記信号処理工程は、前記撮像信号に応じて第１の映像信号を生成する第１の映像信号生成工程と、
前記信号処理工程において、前記撮像信号に応じて第２の映像信号を生成する第２の映像信号生成工程とを含み、
前記色識別工程の識別結果によって前記第１の映像信号生成手段と前記第２の映像信号生成手段のいずれを用いて出力するかを自動的に選択する選択工程と、
を有することを特徴とする撮像方法。
【手続補正２】
【補正対象書類名】明細書
【補正対象項目名】００１０
【補正方法】変更
【補正の内容】
【００１０】
【課題を解決するための手段】
上記の課題を解決するために、本願における請求項１に記載の発明によれば、撮像光学系を介して結像された被写体像を光電変換して撮像信号を出力する撮像手段（実施形態では、撮像素子４０７に相当する）と、前記撮像信号に所定の処理を施して映像信号を生成する信号処理手段（実施形態ではカメラ信号処理回路に相当する）と、前記撮像信号中の色に関する情報から前記被写体の色を識別する色識別手段（実施形態ではカメラ制御回路１０５、９０２、１１０２、１２０、１４０１に相当する）と、前記信号処理手段は、前記撮像信号に応じて第１の映像信号を生成する第１の映像信号生成手段と、（実施形態ではＹＣ信号生成回路５０２、１１０３と色差信号生成回路５０５、１１０１に相当する）と、前記撮像信号に応じて第２の映像信号を生成する第２の映像信号生成手段と（実施形態ではネガポジ反転回路５１２、１６０１とネガポジ反転回路５１２、１６０１に相当する）と、を有し、前記色識別手段の識別結果によって前記第１の映像信号生成手段と前記第２の映像信号生成手段のいずれを用いて出力するかを自動的に選択する選択手段（実施形態ではカメラ制御回路１０５、９０２、１１０２、１２０、１４０１に相当する）とを有する撮像装置を特徴とする。


【手続補正３】
【補正対象書類名】明細書
【補正対象項目名】００１１
【補正方法】変更
【補正の内容】
【００１１】
また本願における請求項２に記載の発明によれば、前記第１の映像信号生成手段は、前記撮像信号の輝度レベルに応じて前記映像信号の輝度成分を生成する第１の輝度成分生成手段（実施形態ではＹＣ信号生成回路５０２、１１０３に相当する）と、前記撮像信号の色成分に応じて前記映像信号の色成分を生成する第１の色成分生成手段（実施例では色差信号生成回路５０５、１１０１に相当する）とを有し、前記第２の映像信号生成手段は、前記撮像信号の輝度レベルに応じて明部と暗部を各々反転した前記映像信号の輝度成分を生成する第２の輝度成分生成手段（実施形態ではネガポジ反転回路５１２、１６０１に相当する）と、前記撮像信号の色成分に応じて、予め定められた変換方式によって前記映像信号の色成分を生成する第２の色成分生成手段（実施形態ではネガポジ反転回路５１２、１６０１に相当する）と、を備えた撮像装置を特徴とする。


【手続補正４】
【補正対象書類名】明細書
【補正対象項目名】００１２
【補正方法】変更
【補正の内容】
【００１２】
また本願の請求項３に記載の発明によれば、請求項２において、さらに、前記選択手段の動作を禁止する制御手段（実施形態ではカメラ制御回路９０２に相当する）とを備え、
前記制御手段によって、前記選択手段の動作が禁止されているとき、前記選択手段によらずに、前記第１、第２の輝度成分生成手段、及び色成分生成手段のいずれかを用いて映像信号を生成する請求項２の撮像装置を特徴とする。
【手続補正５】
【補正対象書類名】明細書
【補正対象項目名】００１３
【補正方法】変更
【補正の内容】
【００１３】
また本願の請求項４に記載の発明によれば、請求項２において、前記第１の輝度成分生成手段と、前記第１の色成分生成手段から色差信号を生成するとともに、それらの利得を制御して、ホワイトバランス調整を行うホワイトバランス調整手段（実施形態では、利得制御回路５０３、５０４及びカメラ制御回路１０５、９０２、１１０２、１２０、１４０１に相当する）を備えた撮像装置を特徴とする。


【手続補正６】
【補正対象書類名】明細書
【補正対象項目名】００１４
【補正方法】変更
【補正の内容】
【００１４】
また本願における請求項５に記載の発明によれば、請求項２おいて、前記第２の輝度成分生成手段及び前記第２の色成分生成手段は、ネガポジを反転した映像信号を出力するように構成した撮像装置を開示する。


【手続補正７】
【補正対象書類名】明細書
【補正対象項目名】００１５
【補正方法】変更
【補正の内容】
【００１５】
また本願における請求項６に記載の発明によれば、請求項１乃至５おいて、撮像光学系と、前記撮像光学系の前面所定位置にフィルムを保持するフィルム撮影アダプタ（実施形態では、フィルムアダプタ８０３に相当する）とを備えた撮像装置を特徴とする。


【手続補正８】
【補正対象書類名】明細書
【補正対象項目名】００１６
【補正方法】変更
【補正の内容】
【００１６】
また本願における請求項７に記載の発明によれば、請求項１乃至６おいて、前記色識別手段が、前記撮像信号より生成された色差信号からネガフィルムを判別するように構成されている。


【手続補正９】
【補正対象書類名】明細書
【補正対象項目名】００１７
【補正方法】変更
【補正の内容】
【００１７】
また本願における請求項８に記載の発明によれば、請求項１乃至６おいて、前記色識別手段が、前記撮像信号より生成されたＲ，Ｇ，Ｂ信号からネガフィルムを判別するように構成されている。


【手続補正１０】
【補正対象書類名】明細書
【補正対象項目名】００１８
【補正方法】変更
【補正の内容】
【００１８】
また本願における請求項９に記載の発明によれば、請求項２乃至７おいて、前記色識別手段が、前記第１の輝度信号生成手段前記第１の色信号生成手段の出力から、ネガフィルムを判別するように構成されている。


【手続補正１１】
【補正対象書類名】明細書
【補正対象項目名】００１９
【補正方法】変更
【補正の内容】
【００１９】
また本願における請求項１０に記載の発明によれば、請求項２乃至７おいて、前記色識別手段が、前記第２の輝度信号生成手段前記第２の色信号生成手段の出力から、ネガフィルムを判別するように構成されている。
また本願における請求項１１に記載の発明によれば、撮像光学系を介して結像された被写体像を光電変換して撮像信号を出力する撮像工程と、
前記撮像信号に所定の処理を施して映像信号を生成する信号処理工程と、
前記撮像信号中の色に関する情報から前記被写体の色を識別する色識別工程と
前記信号処理工程は、前記撮像信号に応じて第１の映像信号を生成する第１の映像信号生成工程と、
前記信号処理工程において、前記撮像信号に応じて第２の映像信号を生成する第２の映像信号生成工程とを含み、
前記色識別工程の識別結果によって前記第１の映像信号生成手段と前記第２の映像信号生成手段のいずれを用いて出力するかを自動的に選択する選択工程と、
を有することを特徴とする。


【手続補正１２】
【補正対象書類名】明細書
【補正対象項目名】００３６
【補正方法】変更
【補正の内容】
【００３６】
その構成を図７に示す。図７に於いて、ＹＨに関しては入力される輝度信号の明部を暗部に、暗部を明部に反転させる。例えば、入力される黒レベル基準の黒レベルから白１００％輝度レベルの範囲内の輝度信号の絶対値を白１００％の輝度レベルから差し引く事によって、白１００％基準の明暗反転した輝度成分が取り出される。


【手続補正１３】
【補正対象書類名】明細書
【補正対象項目名】００９３
【補正方法】変更
【補正の内容】
【００９３】
ネガポジ反転を実行する場合、ステップ１９１７で反転フラグを１にし、ステップ１９１４でネガポジ反転を実行すべく制御ライン５０８の信号をＯＮ状態とする。そうでない場合にはステップ１９１５で反転フラグを０とした後、ステップ１９１６で制御ライン５０８の信号をＯＦＦ状態とする。


【手続補正１４】
【補正対象書類名】明細書
【補正対象項目名】００９４
【補正方法】変更
【補正の内容】
【００９４】
以上の如く構成する事により、ネガポジ反転回路後のＲ，Ｇ，Ｂ信号を用いても、ネガフィルム撮影の自動判別、及びネガポジ反転機能の自動的なＯＮ／ＯＦＦを行う事が可能になる。